(57)【要約】本発明の運動性同定装置は、柔軟な材料と、その柔軟な材料の中に埋め込まれた磁場源と、その材料中に埋め込まれ磁気測定素子と、を含む。柔軟な材料はユーザによって握られるように形成される。柔軟な材料は常時バイアスされて握られることにより変形した休止形状を持っている。磁場は柔軟な材料の形状に応じた磁場輪郭を持っている。磁気測定素子は磁場内に配置され、磁場輪郭に応じた検出可能な状態を持っている。
2005531766.tif 000002
【特許請求の範囲】
【請求項１】
ユーザによって握られるように構成される柔軟材料であり、常時バイアスされた休止状態をもち、その休止状態は握られることにより変形するものである、柔軟材料と、
前記材料中に埋め込まれ、前記材料の前記形状に応じた磁場輪郭を有する磁場を生成する磁場源と、
前記材料中に埋め込まれ、前記磁場内に配置されて前記輪郭に応じた状態が検出可能な磁気測定素子と、
を備えた運動性同定装置。
【請求項２】
前記材料が握られている時、検出可能な前記状態が時間と共に変わるように前記輪郭が時間と共に変わる請求項１に記載の運動性同定装置。
【請求項３】
前記時間と共に変わる検出可能な前記状態が各ユーザに対する独自の類型を特定する請求項２に記載の運動性同定装置。
【請求項４】
各ユーザに対する前記独自の類型が保存されるデータベースと、
前記時間と共に変わる検出可能な前記状態が入力され、保存された各類型が順次入力される比較器と、
をさらに備えた請求項３に記載の運動性同定装置。
【請求項５】
前記材料が非磁性泡材料である請求項１に記載の運動性同定装置。
【請求項６】
前記磁場源が磁性材料のストリップを含んでいる請求項１に記載の運動性同定装置。
【請求項７】
柔軟な材料内に磁場輪郭を生成するステップと、
前記材料が握られているとき前記磁場輪郭を連続的に検出してユーザ類型を生成するステップと、
前記生成されたユーザ類型を保存されているユーザ類型と比較するステップと、
を備える運動性同定方法。
【請求項８】
前記生成するステップが前記材料中に磁性材を埋設するステップを含んでいる請求項７に記載の運動性同定方法。
【請求項９】
前記埋設するステップが前記材料内に前記磁性材のストリップを埋設するステップを含んでいる請求項８に記載の運動性同定方法。
【請求項１０】
前記検出するステップが、
前記材料内に磁気測定素子を埋め込んで前記磁場輪郭内に配置するステップと、
前記磁気測定素子の出力状態を連続的に検出するステップと、
を備える請求項７に記載の運動性同定方法。
【請求項１１】
前記出力状態を検出するステップが前記出力状態をサンプリングするステップを含んでいる請求項１０に記載の運動性同定方法。
【請求項１２】
前記サンプリングした出力状態から前記ユーザの類型の各１つを複数のユーザのそれぞれに対して生成するステップと、
前記ユーザの類型をデータベースに保存するステップと、
をさらに備える請求項１１に記載の運動性同定方法。
【請求項１３】
ユーザによって握られるように構成され、常時バイアスされていて握られることにより変形する休止形状を持っている柔軟な材料と、
前記材料中に埋め込まれ、前記材料の前記形状に応じた磁場輪郭を有する磁場を生成する磁場源と、
前記材料中に埋め込まれ、さらに前記磁場輪郭内に配置されて、前記材料が握られた時前記ユーザの類型を生成するように動作しうる磁気測定素子と、
前記ユーザの類型が保存されるデータベースと、
前記ユーザの類型が入力され、前記ユーザの類型を前記保存されているユーザの類型と比較するように動作しうるプセッサと、
を備えた運動性同定装置。
【請求項１４】
前記磁気測定素子が、前記磁場の関数として現れる、時間と共に変わる出力状態を有し、前記ユーザの類型が前記出力状態のサンプリングによって得られる請求項１３に記載の運動性同定装置。
【請求項１５】
前記プロセッサが前記出力状態をサンプリングしるように動作しうる請求項１４に記載の運動性同定装置。
【請求項１６】
前記材料が非磁性泡材料である請求項１３に記載の運動性同定装置。
【請求項１７】
前記磁場源が磁性材料のストリップを含んでいる請求項１３に記載の運動性同定装置。
【発明の詳細な説明】
【技術分野】
【０００１】
本発明は、広くは個人用同定装置および方法に関し、より詳細には運動性（motor-kinetic）同定装置および方法に関する。
【背景技術】
【０００２】
指紋や網膜のスキャナのようなセキュリティを提供するための個人用同定装置および方法が知られている。この公知の装置および方法は、それぞれの用途、コスト、および提供されるセキュリティのレベルを決定する利点および制約の両面を持っている。
【０００３】
例えば集合型商用オフィスは、正規の職員、従業員、および案内客のみが構内に存在するように保証するのに低レベルのセキュリティしか要求していない。このようなセキュリティはセンサによって検知しうるＩＤカードとしてのスマートカード、あるいは他の型のカードとしても機能する従業員用発行済みカードによって提供される。センサはエレベータや駐車場ゲートのような出入り口や他の入口および出口に配置され、ドアロックおよび他の装置が通行を許可するように動作可能となる前に、センサが有効カードを検知する必要がある。
【０００４】
この種のカードおよびセンサの欠点および弱点は、従業員がカードをはじめから忘れてきたり、または置き忘れたり無くしたりすることがあるということである。忘れられたり置き忘れられたりしたカードは従業員に対して小さな、または一時的な不便をかけるにすぎない。もっと深刻なのは、非正規の個人によって発見されたカードが構内へのアクセス権を得るために用いられうることである。
【０００５】
カードの紛失を防止するために指紋や網膜のスキャナが利用されうる。指紋や網膜のスキャナは非常に高レベルのセキュリティを提供することができるけれども、多くの用途にとって相当に高価である。高レベルのセキュリティ、およびそれと関連する高コストが商用オフィス集合体と同様に保証されない環境では、他の装置および方法が必要である。
【発明の開示】
【発明が解決しようとする課題】
【０００６】
したがって、ここに上述の欠点および弱点のうちの１つまたは幾つかを克服するセキュリティ装置および方法を提供する必要性が存在する。特に低レベルのセキュリティではあるがスマートカードおよびセンサ型ＩＤカードに対する必要性を無くすセキュリティ装置および方法を提供する必要性が存在する。
【課題を解決するための手段】
【０００７】
本発明による運動性同定装置は、柔軟な材料（pliant material）と、その柔軟な材料の中に埋め込まれた磁場源と、その材料中に埋め込まれ磁気測定素子と、を含む。柔軟な材料はユーザによって握られるように形成される。柔軟な材料は常時（normally）バイアスされて握られることにより変形する休止形状（rest shape）を持っている。磁場は柔軟な材料の形状に応じた磁場輪郭（field contour）を持っている。磁気測定素子は磁場内に配置され、磁場輪郭に応じた検出可能な状態（detectable state）を持っている。
【０００８】
本発明の他の実施態様による運動性同定方法は、柔軟な材料内に磁場輪郭を生成するステップと、材料が握られているとき磁場輪郭を連続的に検出してユーザ類型を生成するステップと、そのユーザ類型を保存されているユーザ類型と比較するステップとを備える。
【０００９】
本発明の特徴は、柔軟な材料がユーザによって握られるハンドルまたはノブを形成するように作られたとき、その柔軟な材料は、人間の手の運動性挙動が個人を同定するに足りうるように各個にとって十分個性的であるとの事実に依存するということである。ユーザが柔軟な材料を握ったときユーザのグリップの相対的な接触位置および時間的なパターンを感知するように、以下に詳細に述べるセンサが、柔軟な材料の中に埋め込まれる。
【００１０】
本発明の利点は、柔軟な材料が建物のドアや車のドア、銃、ジョイスティック等のためのあらゆる型のノブやハンドルを提供するように形成されうることである。したがって、本発明はセキュリティを提供する相当に低コストの装置および方法を提供することができる。
【発明を実施するための最良の形態】
【００１１】
本発明のこれらおよび他の目的、利点、および特徴は、次に述べる実施例の説明および添付図面並びに添付の特許請求の範囲との関連において当業者が読解することにより容易に明らかになるであろう。
【００１２】
図１には、柔軟な材料１２、その材料１２の中に埋め込まれた磁場源１４、および材料１２の中に埋め込まれた磁気測定素子１６を含む運動性同定装置１０が示されている。材料１２はユーザによって握られるように構成され、常時バイアスされた休止形状を持っている。材料１２の形状は材料１２がユーザによって握られることにより変形する。磁場は材料１２の形状に応じた磁場輪郭を持つ。磁気測定素子１６は磁場内に配置され、磁場の輪郭に応じた検出可能な状態を持っている。
【００１３】
材料１２が握られている時、材料１２は時間の関数として変形する。したがって、磁場の輪郭は時間と共に変化する（time variant）磁気測定素子によって検出可能な状態が時間と共に変化するという結果を招来する。時間と共に変化する検出可能な状態は各ユーザの独特の類型（stereotype）を特定する。
【００１４】
さらに同定装置１０は、各ユーザの独特の類型が保存されたデータベース１８を備えている。特定のユーザを同定するために、この同定装置は比較器２０をも備えることができる。比較器２０には現在生じている、時間と共に変化する検出可能な状態が入力されると共に、保存されている各類型が逐次入力される。
【００１５】
本発明の１つの特定実施例においては、材料１２は非磁性泡材料でありうる。本発明の他の特定実施例においては、磁場源１４は磁性材料のストリップ２２を備えることができる。
【００１６】
磁気測定素子から得られたユーザ類型はプロセッサ２４に入力される。プロセッサ２４は現在のユーザ類型をデータベース１８に保存されたユーザ類型と比較する。磁気測定素子から得られるユーザ類型は時間と共に変化する出力状態のサンプリングによって得られる。本発明の１つの実施態様では、プロセッサ２４は磁気測定素子の時間と共に変化する出力状態をサンプリングするように動作する。
【００１７】
図２を参照する。この運動性同定法はステップ３０で示すように、まず柔軟な材料１２内の磁場輪郭を生成するステップと、ユーザ類型を生成するために柔軟な材料１２が握られている時、ステップ３２で示すように磁場輪郭を連続的に検出するステップと、ステップ３４で示すように、検出されたユーザ類型を保存されているユーザ類型と比較するステップとを含む。生成するステップ３０は、ステップ３６で示すように材料１２内に磁場源１４を埋め込むステップを含むことができる。この埋め込むステップ３６は、柔軟な材料１２内に磁性材料のストリップ２２を埋め込むステップを含むことができる。
【００１８】
検出するステップ３２はステップ３８に示すように、柔軟な材料１２内に磁気測定素子１６を埋め込んで磁場輪郭内に配置するステップと、ステップ４０に示すように、磁気測定素子１６の出力状態を連続的に検出するステップとを含むことができる。出力状態を検出するステップ４０はステップ４２に示すように、出力状態を時間サンプリングするステップを含むことができる。
【００１９】
この方法はさらに複数ユーザのそれぞれに対しユーザ類型の各１つをサンプリングされた出力状態から生成ステップと、そのユーザ類型をデータベースに保存するステップとを含むことができる。
【００２０】
以上、新規な同定装置および方法の好ましい実施例について説明してきた。当業者は上述の特定の好ましい実施例を用いたり、それから出発したりして、ここに述べられた本発明の新規な原理から逸れることなしに、多数の応用をすることができよう。いずれにしても、本発明は添付の特許請求の範囲によってのみ特定されるべきものである。
【図面の簡単な説明】
【００２１】
【図１】本発明の原理に基づいて構成された同定装置の説明図である。
【図２】本発明の方法を説明するためのフローチャートである。
【図１】
2005531766.tif 000003
【図２】
2005531766.tif 000004
【国際調査報告】
2005531766.tif 000005
2005531766.tif 000006
2005531766.tif 000007